(57)【要約】【課題】頭髪が豊かな人や長髪の人であっても、ヘアスタイルを殆ど乱すことなく頭皮をマッサージすることができる電動式ブラシ装置を提供する。【解決手段】駆動部たる装置本体２によって動作する第二ブラシ部３Ａを有する電動式ブラシ装置１であって、第二ブラシ部３Ａが、可撓性を有する材質から成る基板７０と、この基板７０の表面に突出して基板７０と一体に設けられた複数の支持突部７２と、この支持突部７２に基端側が支持され、支持突部７２より細く軟質な複数の細長突起部７５とを有する。比較的細く軟質な前記細長突起部７５の先端８０Ｔは、髪を通り抜けて頭皮Ｓに当接すると共に、屈曲して頭皮Ｓに対し広い範囲で当接する。この状態で前記装置本体２を作動させることで、前記細長突起部９１が頭皮Ｓを捉えて良好にマッサージすることができる。【選択図】図１２
2014023584.tif 000002
【特許請求の範囲】
【請求項１】
駆動部と、この駆動部によって動作するブラシ部とを有し、このブラシ部が、可撓性を有する材質から成る基板と、この基板の表面に突出して設けられた複数の突起とで構成され、前記駆動部に、前記基板の周縁を保持する枠体を設けた電動式ブラシ装置において、
前記ブラシ部が、前記基板の表面に突出してこの基板と一体的に設けられた複数の支持突部と、この支持突部に基端側が支持され、前記支持突部より細く軟質な複数の細長突起部とを有することを特徴とする電動式ブラシ装置。
【請求項２】
前記細長突起部を前記支持突部に対し着脱可能としたことを特徴とする請求項１記載の電動式ブラシ装置。
【請求項３】
前記細長突起部を、その基端側に対し先端側を外側に曲げて形成したことを特徴とする請求項１又は２に記載の電動式ブラシ装置。
【発明の詳細な説明】
【技術分野】
【０００１】
本発明は、電動式ブラシ装置に関するものであり、特に、頭皮のマッサージや洗髪等に使用することができる電動式ブラシ装置に関するものである。
【背景技術】
【０００２】
従来、この種の電動式ブラシ装置としては、駆動部と、可撓性を有する基板とこの基板表面に突設される複数の突起とで構成されて前記駆動部によって動作する施療部（本願発明のブラシ部に相当する）とを有するマッサージ装置が知られている（例えば、特許文献１参照。）。そして、このような電動式ブラシ装置は、頭皮のマッサージ等に用いられる。
【先行技術文献】
【特許文献】
【０００３】
【特許文献１】特開２００９−１６５６６４号公報
【発明の概要】
【発明が解決しようとする課題】
【０００４】
このような電動式ブラシ装置は、頭皮のマッサージを目的とする前記施療部の突起の高さが低く且つ幅が広いため、頭髪量が少ない人や短髪の人が使用した場合、前記突起が頭皮を的確に捉えることができる。この状態で、前記駆動部を作動させて前記施療部の突起を動かせば、頭皮を良好にマッサージすることができる。
【０００５】
しかしながら、このような電動式ブラシ装置は、頭髪量が豊かな人や長髪の人が使用した場合、頭髪の上に前記突起が押し当てられることになる。この状態で、前記駆動部を作動させて前記施療部の突起を動かしたとしても、この突起は、この突起が押し当てられた頭髪を動かしてしまうため、頭皮をマッサージする効果が薄いという問題があった。また、前記突起によって頭髪が動かされてしまうので、ヘアスタイルが乱されるという問題もあった。
【０００６】
本発明は以上の問題点を解決し、頭髪が豊かな人や長髪の人であっても、ヘアスタイルを殆ど乱すことなく頭皮をマッサージすることができる電動式ブラシ装置を提供することを目的とする。
【課題を解決するための手段】
【０００７】
本発明の請求項１に記載の電動式ブラシ装置は、駆動部と、この駆動部によって動作するブラシ部とを有し、このブラシ部が、可撓性を有する材質から成る基板と、この基板の表面に突出して設けられた複数の突起とで構成され、前記駆動部に、前記基板の周縁を保持する枠体を設けた電動式ブラシ装置において、前記ブラシ部が、前記基板の表面に突出してこの基板と一体的に設けられた複数の支持突部と、この支持突部に基端側が支持され、前記支持突部より細く軟質な複数の細長突起部とを有するものである。
【０００８】
また、本発明の請求項２に記載の電動式ブラシ装置は、請求項１において、前記細長突起部を前記支持突部に対し着脱可能としたものである。
【０００９】
更に、本発明の請求項３に記載の電動式ブラシ装置は、請求項１又は２において、前記細長突起部を、その基端側に対し先端側を外側に曲げて形成したものである。
【発明の効果】
【００１０】
本発明の請求項１に記載の電動式ブラシ装置は、以上のように構成することにより、比較的細く軟質な細長突起部の先端が髪を通り抜けて頭皮に当接すると共に、屈曲して頭皮に対し広く当接する。この状態で前記駆動部を作動させることで、前記細長突起部が頭皮を捉えて良好にマッサージすることができる。なお、前記細長突起部は比較的軟質であるものの、その基端側が前記支持突部によって支持されることで、前記基板に対して倒れすぎることが阻止されるので、頭皮を良好にマッサージすることができる。
【００１１】
なお、前記細長突起部を前記支持突部に対し着脱可能としたことにより、破損し易い細長突起部のみを交換することができる。
【００１２】
また、前記細長突起部を、その基端側に対し先端側を外側に曲げて形成することにより、前記細長突起部が頭皮に押し付けられた際に屈曲し易くできるので、前記細長突起部を頭皮に対しより広い範囲で当接させることができる。
【図面の簡単な説明】
【００１３】
【図１】本発明の実施例１を示す上方からの全体斜視図である。
【図２】図上、ベルト部の一端側を引き出した状態の全体斜視図である。
【図３】同上、下方からの全体斜視図である。
【図４】同上、平面図である。
【図５】同上、断面図である。
【図６】同上、枠体周りの分解斜視図である。
【図７】同上、ブラシ部周りの分解斜視図である。
【図８】同上、保持部周りの拡大断面図である。
【図９】同上、ベルト部の一端側を途中まで引き出した状態の断面図である。
【図１０】同上、ベルト部の一端側を引き出した状態の断面図である。
【図１１】同上、ブラシ部の底面図である。
【図１２】同上、ブラシ部の断面図である。
【図１３】同上、一部の細長突起部を取り外した状態のブラシ部の断面図である。
【図１４】同上、一部の細長突起部を取り外した状態のブラシ部の下方からの斜視図である。
【図１５】同上、細長突起部を示し、図１５（Ａ）は側面図、図１５（Ｂ）は正面図である。
【図１６】同上、図１５（Ｂ）のＡ−Ａ線断面図である。
【発明を実施するための最良の形態】
【００１４】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１５】
図１〜図１６は実施例１を示している。なお、本例においては、図５の静止した姿勢を基準として上下を規定する。１は本発明の電動式ブラシ装置である。この電動式ブラシ装置１は、駆動部としての装置本体２と、この装置本体２の下部側に着脱自在に保持される第一ブラシ部３又は第二ブラシ部３Ａとを有して構成されている。なお、前記第一ブラシ部３と第２ブラシ部３Ａは、前記装置本体２に対し選択的に取り付けられる。また、前記第一ブラシ部３は、主に洗髪に用いられるものであり、前記第二ブラシ部３Ａは、主に頭皮のマッサージに用いられるものである。
【００１６】
そして、前記第一ブラシ部３は、基板４と、この基板４の下面である表面４Ｓと交差する方向である下方側に突出して一体に設けられた複数の突起５とで構成されている。なお、前記基板４は、前記装置本体２に取り付けられていない自然状態において、前記突起５が突出した表面４Ｓ側が凸となるように形成されている。また、前記基板４は、平面視で楕円状であって、可撓性及び弾性を有するエラストマーによって形成されている。また、複数の前記突起５も前記基板４と一体的に設けられており、この突起５は内側のものの下方への突出長さａより、外側のものの下方への突出長さＡが大きくなるように形成されている（ａ＜Ａ）。そして、前記基板４の縁４Ａは、前記装置本体２と一体的に形成された底面部２Ｂ側に設けられた枠体６の縁に固定されている。
【００１７】
なお、ここで言う「固定」とは、多少の動きを許容して接続される状態を含むものであり、本実施例では、前記基板４の縁４Ａを前記枠体６に嵌合させることで、両者を全周に亘って着脱自在に接続している。また、図中４Ｈは、前記基板４の平面の中心Ｏと直交する中心軸線Ｘと直交する長径方向Ｙの一端に、一体に設けられた摘みである。更に、図中Ｚは前記基板４の短径方向を示している。
【００１８】
前記枠体６は、前記ブラシ部３を構成するエラストマーほど変形し易くはないものの、弾性変形可能な合成樹脂製であり、平面視で前記基板４とほぼ一致するような楕円環状に形成されている。そして、前記中心軸線Ｘ上に、平面視における前記枠体６の中心が配置されている。また、前記枠体６は、前記装置本体２の底面部２Ｂから隙間Ｌを隔ててやや下方に設けられている。
【００１９】
また、前記枠体６は、前記装置本体２に対して支持手段７を介して揺動自在に設けられている。この支持手段７は、前記基板４の中心軸線Ｘと直交する短径方向Ｚ´の両端に配置されている。
【００２０】
そして、前記枠体６の形状は、この枠体６の長径方向Ｙ´においては、中心軸線Ｘの通る中心部Ｏ´側となる内側部６Ａよりも、反中心部Ｏ´側となる外側部６Ｂが装置本体２から離間するように形成されている。即ち、長径方向Ｙ´においては、図５において水平な底面部２Ｂを含む仮想水平面２Ｂ´を基準面としたときに、中心部Ｏ´側の内側部６Ａとそれに正対向する仮想水平面２Ｂ´までの距離ｍよりも、外側部６Ｂとそれに正対向する仮想水平面２Ｂ´までの距離Ｍが次第に大きくなっている（ｍ＜Ｍ）。このため、前記枠体６の長径方向Ｙ´の形状は、中心部Ｏ´側の内側部６Ａが高く、外側部６Ｂ側に向かって次第に低くなるようにほぼ円弧状に形成されている。なお、前記枠体６の円弧の曲率は、頭皮Ｓの平均的な曲率とほぼ同じであると共に、前記枠体６の外縁６Ｃが同一の仮想球面上を通るように形成されている。
【００２１】
一方、前記枠体６の短径方向Ｚ´の形状は、短径方向Ｚ´に沿った各部位においては、短径方向Ｚ´に沿った各部位とそれに正対向する仮想水平面２Ｂ´までの距離Ｎはほぼ同じに形成されている。即ち、前記枠体６は、短径方向Ｚ´においては平坦に形成されている。なお、前記枠体６を短径方向Ｚ´でも円弧状となるように形成してもよい。
【００２２】
また、前記枠体６の外側部６Ｂの外縁６Ｃには、下向きの小突部が形成されている。そして、前記ブラシ部３の基板４の、上向き内側に倒Ｕ字状或いはコ字状に折り返された前記縁４Ａが、前記枠体６の外縁６Ｃに嵌合している。なお、前記枠体６の内側に形成された窓孔６Ｄは、中心軸線Ｘを中心とした平面視円形であって、この窓孔６Ｄとケース本体２Ａの底面部２Ｂとの間には、エラストマー等の可撓性及び弾性を有する材質から成る後述するパッキン２０が設けられている。
【００２３】
前記支持手段７は、軸８と、軸受部８Ａとで構成されている。そして、前記軸８は、前記装置本体２の底面部２Ｂを構成する底板９の左右にそれぞれ設けられている。即ち、前記軸８は、中心軸線Ｘと直交する短径方向Ｚ´と平行でやや上方の揺動回動中心Ｚ´´の両側に外向きに突設している。一方、前記軸８を受ける前記軸受部８Ａは、前記枠体６の左右にそれぞれ設けられている。実施例では、前記軸受部８Ａは、前記枠体６の上面に突設した一対の吊下部材６Ｆの上部に、揺動回動中心Ｚ´´が短径方向Ｚ´と平行になるように設けられている。そして、前記吊下部材６Ｆの上部に設けられた前記軸受部８Ａは、前記軸８によって回動自在に接続され、これにより、前記枠体６は前記軸８を回動中心として揺動できるようになっている。なお、図中８Ｂは、前記軸受部８Ａの外側を覆う蓋板を示している。
【００２４】
前記装置本体２は、底面側が開口すると共に片手で把握可能な大きさを有する前記ケース本体２Ａと、このケース本体２Ａの開口した底面側を閉塞する前記底面部２Ｂとを有して構成されている。この底面部２Ｂは、前記底板９と覆い体１１とを有する。そして、前記底板９は、平面視において前記枠体６と外形がほぼ等しい楕円状に形成されており、前記ケース本体２Ａの底縁にその外周が固定されていると共に、前記底板９の中央部には上下方向に貫通する円形の窓孔１０が形成されており、この窓孔１０を覆って伸縮可能な前記覆い体１１が設けられている。この覆い体１１は、例えばゴム或いは合成ゴムやエラストマー等の可撓性を有する材質から成る蛇腹状の膜によって、前記窓孔１０を水密に封ずるように設けられているもので、その外縁を前記装置本体２のシャシー２Ｃと前記底板９とで挟持することで、前記底板９に対し気密に接続されている。
【００２５】
そして、前記装置本体２の内部に設けられた前記シャシー２Ｃには、前記基板４の中心部Ｏを上下方向に往復動させる往復駆動手段１２が設けられている。この往復駆動手段１２は、駆動源としてのモータ１３と、このモータ１３のモータ軸１３Ａに減速歯車機構１４を介して接続されるクランク１５と、このクランク１５の偏心軸１５Ａと結合したヨーク１６と、このヨーク１６と一体に形成されたロッド１６Ａを備えている。このように、本実施例では、所謂スコッチ・ヨーク機構を採用したが、クランク機構を採用してもよい。
【００２６】
なお、前記覆い体１１のほぼ中央には、接続中継部材１７が一体的に取り付けられている。この接続中継部材１７は、その上面側と前記ロッド１６Ａの下端とで前記覆い体１１を挟持して水密に固定すると共に、その下面側にフック１７Ａが設けられており、このフック１７Ａに、前記基板４中央の上面に設けられたフック受け部４Ｂが着脱自在に接続されている。従って、前記接続中継部材１７は、前記モータ１３の回転運動が前記クランク１５とヨーク１６とで往復運動に変換されることで、上下方向に往復運動するようになっている。これにより、前記フック受け部４Ｂが設けられた位置が、前記基板４における最大振幅部となり、その振幅は、前記クランク１５の中心軸から前記偏心軸１５Ａまでの偏心距離Ｆの２倍（２Ｆ）となる。また、前記フック受け部４Ｂ及び接続中継部材１７は、中心軸線Ｘ上に配置される。また、前記装置本体２の内部に設けられた前記シャシー２Ｃには、前記モータ１３に電力を供給するための電池１８が設けられていると共に、前記装置本体２の側面部の一側には、前記モータ１３を操作するためのスイッチ１９が設けられている。
【００２７】
次に、前記パッキン２０について説明する。このパッキン２０は、例えばゴム或いは合成ゴムやエラストマー等の可撓性を有する材質から成り、前記中心軸線Ｘを中心とした平面が円形リング状あって、その上部２０Ａの直径ｄが、下部２０Ｂの直径Ｄよりも大きい（ｄ＜Ｄ）ほぼ裁頭円錐形となっており、さらに、前記パッキン２０の上部２０Ａは、前記底板９の内周面９Ａに線接触状に圧接して、両者を気密に接続して後述する拡縮空間２９を画定している。前記内周面９Ａは、その上部の直径ｅより下部の直径Ｅが次第に大きくなるように（ｅ＜Ｅ）、ほぼ裁頭円錐形状のテーパ面に形成されている。そして、後述するように、前記基板４が下に撓んだ湾曲凸状態と上に撓んだ湾曲凹状態との間で変形を繰り返すときや、前記軸８を中心として前記枠体６が揺動したときにおいて、前記パッキン２０の上部２０Ａが前記内周面９Ａより逸脱しないようになっている。このため、前記直径ｄの範囲は、ほぼ直径ｅと同じかそれ以上であり、且つ、ほぼ直径Ｅと同じかそれ以下に形成されるようになっている（ｅ≦ｄ≦Ｅ）。一方、前記パッキン２０の下部２０Ｂは、インサート成形によって、前記枠体６の内側部６Ａと一体的に形成されている。
【００２８】
更に、前記基板４には、前記枠体６と、この枠体６の上方に接続された前記パッキン２０と、このパッキン２０が当接した前記底板９と、前記底板９に対し気密に接続された前記覆い体１１と、前記枠体６の下方に接続された前記基板４とで囲まれる拡縮空間２９の内外を連通する小貫通孔状の第一連通部２１及び第二連通部２２が設けられる。そして、前記拡縮空間２９には、前記各連通部２１，２２に連通すると共に前記基板４の撓みに応動するシャンプーの収容体２６が設けられる。また、前記中心軸線Ｘを中心として、複数の小突起２７が前記基板４の表面４Ｓに環状に並べて設けられていると共に、これらの小突起２７同士を接続するように、環状壁２８が設けられている。また、前記基板４の表面４Ｓからの前記環状壁２８の突出寸法は、前記小突起２７の突出寸法より小さくなっている。なお、前記小突起２７と環状壁２８によって、前記基板４が内外に区画される。そして、前記第二連通部２２は、前記小突起２７と環状壁２８によって囲まれた区域に形成されている。一方、前記第一連通部２１は、前記小突起２７と環状壁２８の外側の区域に形成されている。
【００２９】
前記収容体２６は、前記基板４の撓みに応動して、圧縮及び復元を繰り返すことで、前記シャンプーを前記各連通部２１，２２から吸引したり吐出したりさせるようになっている。なお、前記収容体２６は、実施例では弾性体である連続気泡型の発泡ポリウレタンや発泡ゴム等から成る合成スポンジ或いは海綿（天然スポンジ）等によって形成されており、前記基板４が下に撓んだ湾曲凸状態のときに、前記収容体２６はほぼ非圧縮状態或いはやや圧縮状態となって、前記拡縮空間２９に介在している。即ち、前記基板４が下に撓んだ湾曲凸状態のときに、前記収容体２６の上面２６Ａは前記枠体６の下面及び覆い体１１に接するか或いは近接し、前記収容体２６の下面２６Ｂは前記基板４の上面に接するか或いは近接し、更に前記収容体２６の外周２６Ｃは前記基板４の縁４Ａ及び前記枠体６の外縁６Ｃに形成された下向きの小突部に接するか或いは近接している。一方、前記収容体２６の中心部には、前記中心軸線Ｘに沿って貫通孔２６Ｄが形成されている。そして、この貫通孔２６Ｄを通して、前記フック受け部４Ｂと前記フック１７Ａが接続できるように構成されている。
【００３０】
図４等に示すように、前記装置本体２のケース本体２Ａは、一側（前側）から他側（後側）に向かって長く形成されている。そして、前記ケース本体２Ａは、上側が凸となるように湾曲した上面部３１と、この上面部３１の左右に設けられた左側面部３２Ｌ及び右側面部３２Ｒと、前記上面部３１の前後に設けられた前面部３２Ｆ及び後面部３２Ｂとを備えている。前記上面部３１は、その全長に渡ってほぼ同一幅に形成されていると共に、前側が後側より低く形成されている。また、前記左，右側面部３２Ｌ，３２Ｒ及び前，後面部３２Ｆ，３２Ｂには、その上下方向ほぼ中央に屈曲部３４が設けられている。この屈曲部３４は、前記ケース本体２Ａの全周に設けられている。そして、前記左，右側面部３２Ｌ，３２Ｒの間隔及び前，後面部３２Ｆ，３２Ｂの間隔は、前記屈曲部３４よりも上方において、それぞれ上方に向かって幅狭になるように形成されると共に、前記屈曲部３４よりも下方において、それぞれ下方に向かって幅狭になるように形成されている。なお、前記屈曲部３４を境にして、前記左，右側面部３２Ｌ，３２Ｒ及び前，後面部３２Ｆ，３２Ｂの上下を、それぞれの上部及び下部という。
【００３１】
前記装置本体２には、可撓性及び防滑性を有するエラストマーから形成されたベルト部３５が設けられている。なお、このベルト部３５は、透光性を有する。また、前記ベルト部３５は、他端側となるベルト本体３５Ａと、一端側となるスライド部３５Ｂとを一体に有している。そして、前記ベルト本体３５Ａを収納するために、前記ケース本体２Ａの上面部３１から後面部３２Ｂの上部に渡って、凹部３６が形成されている。
【００３２】
前記ベルト本体３５Ａの他端は、前記後面部３２Ｂの上部に固定されている。具体的には、前記ベルト本体３５Ａの他端部に、幅方向に長い長孔３７を穿設し、この長孔３７に対応して、前記後面部３２Ｂに長孔３７Ａを穿設し、これら長孔３７，３７Ａに固定部材３８を挿通し、挿通した前記固定部材３８の先端に係止部３９を固定し、前記固定部材３８の頭部３８Ｔと係止部３９とで、前記ベルト部３５の端部と後面部３２Ｂを挟着する。これにより、前記ベルト部３５の他端部を、前記ケース本体２Ａに固定している。
【００３３】
また、前記ベルト本体３５Ａの他側寄りには、左右方向の曲げ部４１が設けられている。この曲げ部４１は、内面側、即ち下方に、ほぼ半円状に凹んで形成されている。そして、この曲げ部４１に対応して、前記凹部３６に凹状の受け部４２が形成され、この受け部４２に前記曲げ部４１が収納される。また、前記上面部３１と後面部３２Ｂとの境目に対応して、後側曲げ部４３が形成されている。この後側曲げ部４３は、前記ベルト本体３５Ａの上面側に凹部を形成するように、薄肉状に形成されている。そして、前記ベルト部３５は、前記後側曲げ部４３において、上面部３１と後面部３２Ｂとの境目で上面部３１と後面部３２Ｂに沿うように折り曲げられている。なお、不使用状態において、前記ベルト本体３５Ａは、前記曲げ部４１で折曲げられていない。
【００３４】
このように、前記ベルト本体３５Ａに前記曲げ部４１，４３を設けることにより、前記各曲げ部４１，４３にて前記ベルト本体３５Ａを折り曲げ易くすることができる。
【００３５】
前記スライド部３５Ｂは、前記ベルト本体３５Ａの前端部から下方に向けて延設されている。そして、上下方向に延びた前記スライド部３５Ｂと、前後方向に延びた前記ベルト本体３５Ａは、屈曲部４４において一体形成されている。なお、前記スライド部３５Ｂは、前記ベルト本体３５Ａよりも多少幅狭に形成されている。また、前記ベルト本体３５Ａの前縁４５は、前記スライド部３５Ｂの前端よりも僅かに前方に突出するように形成されている。また、前記スライド部３５Ｂは、このスライド部３５Ｂの左右方向中央部に、その長さ方向に沿って穿設された長孔４６を有している。更に、前記長孔４６の上縁には、傾斜面４７が形成されている。この前記傾斜面４７は、水平方向に対して、後側から前側に高くなるように傾斜している。そして、前記傾斜面４７の傾斜角度は、４５度以下であり、好ましくは２０度〜４０度程度である。
【００３６】
前記凹部３６の前側には、前記スライド部３５Ｂを挿通する挿通孔４８が穿設されている。そして、この挿通孔４８の下方には、前記スライド部３５Ｂを収納するための収容部４９が設けられている。そして、この収容部４９には、案内面５０が設けられている。この案内面５０は、前記前面部３２Ｆの下側内面及び前記底板９の内面に沿って、前記ケース本体２Ａ内に設けられている。なお、前記前面部３３Ｆの下側内面は、水平方向に対して４５度以上の傾斜をなしている。
【００３７】
前記ケース本体２Ａには、ベルト本体３５Ａを凹部３６に収納した状態で保持する保持部５１が設けられている。この保持部５１は、前記前面部３２Ｆの上側に設けられた操作部としての操作ボタン５２を備える。この操作ボタン５２は、使用者の押圧操作により、前記ケース本体２Ａの内側に移動する。また、前記ケース本体２Ａ内に固定された固定部５３と前記操作ボタン５２との間には、復帰手段としてのコイルバネ５４が設けられている。そして、前記操作ボタン５２の押圧操作を解除すると、この操作ボタン５２は、その外面が前記前面部３２Ｆの外面とほぼ面一になる位置に復帰する。更に、前記操作ボタン５２の接続部５２Ａには、固定手段としてのビス５５によって係止部材５６が一体的に固定されている。なお、前記接続部５２Ａは、前記挿通孔４８に挿通されている。従って、前記係止部材５６は、前記ベルト部３５の他側（即ち後方）に位置する。前記係止部材５６の上部５６Ａは、上方に延設されている。そして、この上部５６Ａの一側には、係止部５７が突設されている。この係止部５７は、下向きでほぼ水平な係止面５７Ａと、一側（即ち前方）に向かって低くなる傾斜案内面５７Ｂと、これら係止面５７Ａと傾斜案内面５７Ｂとの間に設けられたほぼ垂直な縦面部５７Ｃとを有する。
【００３８】
前記ベルト部３５のスライド部３５Ｂの他側面（即ち後面）には、前記係止部５７に係止される第一係止受部５８が突設されている。この第一係止受部５８は、前記係止面５７Ａに係止される上向きでほぼ水平な係止面５８Ａと、前記傾斜案内面５７Ｂに当接する傾斜案内面５８Ｂと、これら係止面５８Ａと傾斜案内面５８Ｂとの間に設けられたほぼ垂直な縦面部５８Ｃとを有する。また、前記ベルト部３５のスライド部３５Ｂにおける、前記第一係止受部５８よりも下方には、第二係止受部５９が突設されている。なお、この第二係止受部５９の形状は、前記第一係止受部５８と同様である。
【００３９】
さらに、前記操作ボタン５２の接続部５２Ａの上部には、一側（即ち前方）から他側（即ち後方）に向かって低くなる、移動部としての傾斜面６０Ａを有するリブ６０が設けられている。なお、このリブ６０の傾斜面６０Ａは、前記傾斜面４７に対応して形成されている。即ち、前記傾斜面６０Ａと、前記傾斜面４７は、傾斜方向及び傾斜角度が同一である。従って、前記操作ボタン５２を押し込むことで、前記傾斜面４７が前記傾斜面６０Ａに押し上げられるので、前記スライド部３５Ｂは前記ケース本体２Ａから出る方向に移動させられる。
【００４０】
前記凹部３６の一側（即ち前側）には、前記装置本体２の往復駆動手段１２の駆動状態を表示する表示部６１が設けられている。この表示部６１は、ＬＥＤ等の発光源の発光により、前記往復駆動手段１２の駆動状態を表示する。具体的には、前記表示部６１の明るさにより、前記往復駆動手段１２の駆動状態を表示する。この例では、前記往復駆動手段１２の駆動速度に応じて、複数設けられた発光源の発光数を可変することにより、前記表示部６１の明るさを二段階に変更する。なお、前記表示部６１は、前記往復駆動手段１２の駆動速度の速い方が明るくなるようにしている。そして、前述したように、前記ベルト部３５が透光性を備えているので、前記ベルト本体３５Ａを通して前記表示部６１の発光状態を視認することができる。
【００４１】
前記左側面部３２Ｌと右側面部３２Ｒの下側には、滑り止め部６２が設けられている。この滑り止め部６２は、板状の本体６３と、この本体６３の上に設けられた上縁部６４、前に設けられた前縁部６４Ｆ、及び後に設けられた後縁部６４Ｂとを一体に備える。前記滑り止め部６２はエラストマー等からなり、前記左側面部３２Ｌと右側面部３２Ｒの中央にそれぞれ設けられている。なお、前記滑り止め部６２は、前記ベルト部３５と同様に、それ自体が前記ケース本体２Ａに比べて摩擦係数が大きいものである。そして、前記滑り止め部６２の本体６３には、上下方向に延びる多数の凹凸部６５が前後方向に並設されている。また、前記上縁部６４、前縁部６４Ｆ、及び後縁部６４Ｂは、前記本体６３に比べて外側に突出している。
【００４２】
次に、前記第一ブラシ部３と交換して使用可能な前記第二ブラシ部３Ａについて説明する。図１１等に示すように、前記第二ブラシ部３Ａは、基板７０と、この基板７０の下面と交差する方向である下方側に突出して一体に設けられた第一突起７１の支持突部７２、第二突起７３、第三突起７４とを備えている。前記支持突部７２と第二突起７３は、前記基板７０の中央を上下に通る中心軸線Ｘを中心として、前記基板７０の縁７０Ａに沿って配置される楕円状の仮想外側輪Ｄに沿って設けられている。一方、前記第三突起７４は、前記仮想外側輪Ｄの内側に配置される、前記中心軸線Ｘを中心とする円形の仮想内側輪Ｉに沿って設けられている。そして、前記第一突起７１は、前記基板７０と一体に設けられた前記支持突部７２と、この支持突部７２に対し着脱可能に支持される細長突起部７５とを備えている。
【００４３】
前記支持突部７２は、前記中心軸線Ｘを中心として相互に対向するように、複数間隔をおいて設けられている。なお、本例において、前記支持突部７２は、楕円弧状に四つ並んだ群を、中心軸線Ｘを中心として軸対称となるように二個所に設けることで、合計八つ設けられている。そして、前記支持突部７２の先端部７６は、その先端側が丸く形成されている。また、前記先端部７６は、その基端側よりも先端側が前記中心軸線Ｘからの距離が長くなるように、基端側から先端側にかけて湾曲凸状に後退している。即ち、図１３に示すように、前記先端部７６は、基端側から先端側に向かうに従って、傾斜が小さくなっている。
【００４４】
そして、前記支持突部７２の先端側の外側には、陥没部７２Ａが形成されている。また、前記支持突部７２の先端部７６の両側縁には、外側に向けて一対の支持壁７２Ｂ，７２Ｂが形成されている。更に、前記支持突部７２の基端側は、筒状部７２Ｃとなっていると共に、この筒状部７２Ｃの先端側は、端板部７２Ｄにより閉塞されている。即ち、前記陥没部７２Ａは、前記先端部７６と、一対の支持壁７２Ｂ，７２Ｂと、端板部７２Ｄによって構成されている。従って、前記支持突部７２は、先端が前記端板部７２Ｄによって閉塞された筒状部７２Ｃの先端側に、前記先端部７６の先端側を延長して設けると共に、この先端部７６の両側縁に一対の支持壁７２Ｂ，７２Ｂを設けた構造となっている。
【００４５】
また、前記支持突部７２には、前記細長突起部７５を着脱可能に取り付けるために、前記先端部７６に装着孔７７を穿設すると共に、前記端板部７２Ｄにほぼ円形の連結孔７８を穿設している。前記装着孔７７は、内側の内縁部７７Ａと、この内縁部７７Ａの両端から外側に向かって相互に間隔が広がる内外方向の側縁部７７Ｂ，７７Ｂと、これら側縁部７７Ｂ，７７Ｂの外端を連結する円弧状の外縁部７７Ｃとを備えている。なお、前記内縁部７７Ａは、前記陥没部７２Ａの奥壁部７２Ｅに連続すると共に、この奥壁部７２Ｅの下端は、前記端板部７２Ｄの内端に連結されている。また、前記連結孔７８の外側には、この連結孔７８を部分的に拡大する拡大部７８Ａが設けられている。なお、この拡大部７８Ａは、ほぼ半円形状をなしている。そして、前記拡大部７８Ａの直径は、前記連結孔７８の直径より小さい。
【００４６】
前記細長突起部７５は、前記基板７０及び支持突部７２よりも軟質な材料から形成されることで、これら基板７０及び支持突部７２に比べて軟質に形成されている。そして、前記細長突起部７５は、前記支持突部７２に対し着脱可能に連結される基部７９と、この基部７９と一体に設けられた先端部８０とを備えている。なお、前記細長突起部７５は、前記基部７９の軸心７９Ｓに対して、前記先端部８０の軸心８０Ｓが、屈曲部７５Ｋにおいて屈曲している。そして、前記軸心８０Ｓは、前記細長突起部７５を前記支持突部７２に装着した状態において、前記第二ブラシ部３Ａの外側を向くように傾斜している。即ち、前記先端部８０は、前記基部７９に対して外側に曲がっている。なお、前記細長突起部７５は、中実である。
【００４７】
また、前記基部７９の基端には、前記端板部７２Ｄに当接する基端面７９Ａが設けられている。そして、この基端面７９Ａには、前記連結孔７８に圧入連結される圧入部８１が基端側に突出して設けられている。更に、この圧入部８１には、前記連結孔７８の上縁に係止する係止頭部８１Ａが設けられている。
【００４８】
前記基部７９は、前記奥壁部７２Ｅ及び両支持壁７２Ｂ，７２Ｂに対応して、内面部７９Ｅ及び側面部７９Ｂ，７９Ｂを有する。なお、前記各側面部７９Ｂ，７９Ｂの間隔は、外側に向かって拡大する。また、前記基部７９の外面部７９Ｃは、前記外縁部７７Ｃに対応して、円弧状をなす。そして、円弧状をなす前記外面部７９Ｃには、断面が円弧状の凹部８２が縦設される。なお、この凹部８２は、前記圧入部８１の凹部８２Ａに連続する。
【００４９】
前記先端部８０は、断面円形であり、且つ先端に向かって細くなる形状をなしている。そして、前記先端部８０の先端８０Ｔは、湾曲凸面である半球面に形成されている。
【００５０】
そして、前記支持突部７２に前記細長突起部７５を連結する場合、前記支持突部７２の装着孔７７の内縁部７７Ａに、前記細長突起部７５の基部７９の内面部７９Ｅを合わせ、前記装着孔７７に前記基部７９を挿入する。更に、前記圧入部８１の係止頭部８１Ａを前記連結孔７８に圧入することで、この連結孔７８に前記圧入部８１が連結される。一方、前記基部７９の上部は、前記装着孔７７によって支持されることで、ぐらつきが防止される。なお、前記連結孔７８は、前記拡大部７８Ａが形成されていることにより変形し易くなっているため、前記連結孔７８に前記圧入部８１をスムーズに挿通することができる。更に、前記装着孔７７に前記基部７９が嵌入された状態で、前記奥壁部７２Ｅ，両支持壁７２Ｂ，７２Ｂ及び端板部７２Ｄに、前記内面部７９Ｅ，側面部７９Ｂ，７９Ｂ及び基端面７９Ａが当接する。このようにして、前記支持突部７２に細長突起部７５が一体化された状態で連結される。
【００５１】
前記第二突起７３は、楕円弧状に並んだ前記第一突起７１群の端部同士の間に、前記基板７０と一体に形成されるものである。実施例では、前記第二突起７３は、前記仮想外側輪Ｄ上で且つ前記基板７０の長軸方向両端部に、対向して一対設けられている。そして、前記第二突起７３は、前記中心軸線Ｘに対向する側を凸曲面状に切り欠いた筒状であり、前記中心軸線Ｘに対向する対向面７３Ａが、前記支持突部７２の先端部７６と同様の形状となっている。なお、前記対向面７３Ａには、前記装着孔及び連結孔は形成されていない。また、前記第二突起７３は、板状の前記基板７０の厚みとほぼ同じ厚みによって凸状に一体成形されたものである。このため、前記第二突起７３の内部には、図示しない中空部が形成されている。そして、前記第二突起７３は、前記第一突起７１の支持突部７２とは異なり、陥没部は形成されておらず、前記対向面７３Ａが他の部分によって支えられるので、負荷が加わっても殆ど変形しない。
【００５２】
更に、前記仮想内側輪Ｉに沿って相互に間隔をおいて設けられる複数の前記第三突起７４は、先端側がやや細く且つ先端を丸くした円柱状である。そして、この第三突起７４の前記中心軸線Ｘ方向の高さは、前記第一突起７１の支持突部７２及び前記第二突起７３よりも低く形成されている。
【００５３】
次に、本実施例の作用について説明する。まず、使用者は、図１及び図５に示すように、前記ベルト部３５のスライド部３５Ｂが前記収容部４９に収納された状態から、図２及び図９、図１０に示すように、前記ベルト部３５のスライド部３５Ｂを前記収容部４９から引き出す。これは、図８に示すように、前記操作ボタン５２を指で押し込むことによって行われる。このように、前記操作ボタン５２を指で押し込むと、前記係止部材５６が後方に移動する。この際、前記係止部５７は、前記第一係止受部５８から外れる。これと同時に、前記操作ボタン５２のリブ６０の傾斜面６０Ａは、前記スライド部３５Ｂの傾斜面４７と摺接する。そして、前記傾斜面６０Ａが前記傾斜面４７と摺接することによって、前記スライド部３５Ｂは上方に押し上げられる。これによって、前記ベルト本体３５Ａの前縁４５は、前記凹部３６から浮き上がる。この際、前記コイルバネ５４の付勢力によって、前記係止部５７の縦面部５７Ｃが前記係止受部５８の縦面部５８Ｃに当接し、前記スライド部３５Ｂが一時的に保持される。この状態から、浮き上がった前記前縁４５を持ち上げることで、前記スライド部３５Ｂが引き出される。この際、前記コイルバネ５４の付勢力により、前記操作ボタン５２は前側に復帰する。更に、前記スライド部３５Ｂを引き出すことで、前記ベルト本体３５Ａは前記凹部３６から離れる。そして、前記スライド部３５Ｂは、図９に示すように、前記係止部５７と前記第二係止受部５９が係止する位置で止まる。
【００５４】
なお、この状態で、前記ケース本体２Ａの上面部３１と前記ベルト本体３５Ａとの間隔が狭い場合、もう一度、前記操作ボタン５２を押し込む。すると、前止部５７と前記第二係止受部５９の係止が解除される。これによって、前記スライド部３５Ｂを更に引き出すことが可能となる。なお、前記スライド部３５Ｂは、前記長孔４６の下縁４６Ｂが前記操作ボタン５２の接続部５２Ａに当接するまで引き出すことができる。そして、前記スライド部３５Ｂが更に引き出されることによって、前記上面部３１とベルト本体３５Ａとの間隔を広くすることができる。
【００５５】
そして、前記上面部３１とベルト部３５との間に、親指を除いた指を差し入れると、前記ベルト部３５が手の形に合わせて屈曲する。なお、前記ベルト本体３５Ａは、前記曲げ部４１において、他の部分よりも容易に大きく屈曲する。このように、他の部分よりも容易に大きく屈曲する前記曲げ部４１を、前記ベルト本体３５Ａの他端寄りに設けたことで、このベルト本体３５Ａが使用者の手の厚さに合わせて、容易に変形可能となる。即ち、前記ベルト部３５は、使用者の手にフィットしやすくなる。そして、前記ベルト部３５によって手が押さえられることで、前記装置本体２、ひいては前記電動式ブラシ装置１全体が、使用者の手から離れにくくすることができる。即ち、使用者が、前記電動式ブラシ装置１を落下させることで、この電動式ブラシ装置１を破損させたり、使用者自身が怪我をしたりする虞を減ずることができる。
【００５６】
なお、図１及び図５に示す状態のまま、前記電動式ブラシ装置１を使用することも可能である。この場合、使用者は、前記装置本体２を把持する際に、前記ベルト本体３５Ａの上面に触れることができる。同時に、使用者は、一対の前記滑り止め部６２，６２に触れることができる。従って、掌を前記ベルト本体３５Ａの上面に当て、親指を一方の前記滑り止め部６２に当て、それ以外の指の幾つかを他方の前記滑り止め部６２に当てるようにして、前記装置本体２を把持することができる。このように、一対の前記滑り止め部６２，６２とベルト本体３５Ａにより、滑り止め状態で、前記装置本体２を良好に把持することができる。
【００５７】
主として頭皮Ｓや髪を洗浄する場合、まず、使用者は、前記装置本体２を裏返し、前記枠体６に前記収容体２６を乗せた後、前記フック１７Ａを、前記収容体２６の貫通孔２６Ｄを通して前記第一ブラシ部３の基板４のフック受け部４Ｂに接続し、更に、前記第一ブラシ部３の基板４の縁４Ａを前記枠体６の外縁６Ｃに係合させる。このようにして、前記電動式ブラシ装置１が使用可能な状態となる。この際、前述したように、前記第一ブラシ部３の基板４は、自然状態において湾曲凸状態となっているが、前記第一ブラシ部３を取り付ける前記枠体６自体が長径方向Ｙ´に対して湾曲凹状態となっていることで、前記枠体６に取り付けられた前記第一ブラシ部３の基板４は、その突出量が少なくとも長径方向Ｙでは、従来の構造に比べ小さくなる。逆に、短径方向Ｚでは、前記第一ブラシ部３の基板４の突出量は、従来の構造に比べ大きくなる。従って、湾曲凸状態において、前記突起５は、長径方向Ｙでは従来の構造に比べやや閉じており、短径方向Ｚでは従来の構造に比べやや開いている。なお、短径方向Ｚの両端部に設けられた前記突起５の湾曲凹状態における内側への傾斜角度は、従来構造と殆ど変わらない。
【００５８】
そして、頭皮Ｓや髪を洗浄する場合、使用者は、予め前記収容体２６に適量の水を含ませておく。なお、水は前記電動式ブラシ装置１を水に浸けることで、前記各連通部２１，２２を介して前記収容体２６に吸収される。そして、前記電動式ブラシ装置１を図１乃至図３の状態から裏返して、前記基板４の表面４Ｓを上向きとし、前記小突起２７と環状壁２８に囲まれた区域に適量のシャンプーをシャンプー容器（図示せず）から注ぐ。この際、前記小突起２７と環状壁２８で囲まれた区域に注がれた前記シャンプーは、過剰に注がない限り、前記小突起２７と環状壁２８の外側の区域に流れ出すことはなく、少量のシャンプーは、前記第二連通部２２から前記収容体２６側に染み込む。
【００５９】
そして、引き出された前記ベルト部３５と上面部３１との間に指を通して、前記装置本体２を把持した状態で、前記スイッチ１９を操作すると、前記電池１８から電力が給電されることで、前記モータ１３が作動して前記モータ軸１３Ａが回転する。このモータ軸１３Ａの回転に伴い、このモータ軸１３Ａに前記減速歯車機構１４を介して接続された前記クランク１５が回転し、このクランク１５及びこのクランク１５の偏心軸１５Ａと結合した前記ヨーク１６によって、前記モータ軸１３Ａの回転運動が往復運動に変換され、前記ヨーク１６と一体に形成されたロッド１６Ａの下端に取り付けられた前記接続中継部材１７が上下に往復動する。そして、前記基板４は、前記接続中継部材１７に設けられた前記フック１７Ａに接続された前記フック受け部４Ｂ、即ち、前記基板４の中央が最大振幅箇所となるように、従来技術と同様に下に撓んだ湾曲凸状態と上に撓んだ湾曲凹状態との間で変形を繰り返す。なお、前記基板４の前記最大振幅個所における振幅は、前記クランク１５の中心軸から偏心軸１５Ａまでの偏心距離Ｆの２倍（２Ｆ）となる。
【００６０】
このように、前記基板４が下に撓んだ湾曲凸状態と上に撓んだ湾曲凹状態との間で変形を繰り返すことで、前記拡縮空間２９が圧縮、復元を繰り返すことになり、この結果、前記拡縮空間２９内の前記収容体２６は、前記基板４の撓みに応動して、圧縮と復元を繰り返す。そして、前記収容体２６が圧縮状態から復元する際に、前記拡縮空間２９が減圧状態となることで、前記環状小突起２７と環状壁２８の内側区域に注がれた前記シャンプーが前記第二連通部２２から吸引されて前記拡縮空間２９内に流入し、前記収容体２６に収容される。逆に、前記収容体２６が圧縮される際に、この収容体２６に収容された前記シャンプーは、前記第二連通部２２より噴出されることとなる。なお、前記シャンプーは、前記第二連通部２２を通して押し出される際に空気と混じり合うことで泡立つ。そして、このように前記収容体２６の変形が繰り返されることで、前記シャンプーが徐々に前記収容体２６の中央から外周側に広がってゆき、これによって、前記第一連通部２１からも、泡立てられた前記シャンプーが押し出されることになる。このように、湾曲凸状態と湾曲凹状態との間で繰り返される前記基板４の変形に応動して前記収容体２６が圧縮、復元を繰り返すことで、前記小突起２７及び環状壁２８の内側区域に注がれた前記シャンプーは、泡立てられて、前記第一ブラシ部３全体から外部に供給される。なお、前記シャンプーは、前記連通部２１，２２を通過する際に細かく泡立てられることになる。そして、前記シャンプーは、前記連通部２１，２２の孔の径が小さい程、細かく泡立てられることになる。
【００６１】
このように、前記シャンプーが泡立てられた状態で、使用者は、前記装置本体２を把持し、前記突起５の先端部を前記頭皮Ｓに押し当てて手で保持する。これにより、主として前記突起５は、前記中心軸線Ｘを中心としてその内側方向に傾斜したり、或いはその後起立したりすることを繰り返すことで、前記頭皮Ｓを擦って洗浄することができる。なお、この際、前記突起５によって頭皮Ｓに刺激を与えてマッサージすることもできる。そして、この場合、前記ベルト本体３５Ａの下面と上面部３１との間に指を挿入して前記装置本体２を把持しているため、この装置本体２にシャンプーが付着しても、前記ブラシ装置１を滑り落とすことを防止できる。
【００６２】
なお、従来の構造では、頭皮Ｓの形状にもよるが、短径方向Ｚの両端部に設けられた前記突起５は、頭皮Ｓに対して強く押し当てられる一方、長径方向Ｙの両端部に設けられた前記突起５は、頭皮Ｓに対して弱く押し当てられる傾向がある。しかしながら、本実施例では、前述したように、前記突起５は、長径方向Ｙでは従来の構造に比べやや閉じており、短径方向Ｚでは従来の構造に比べやや開いているので、長径方向Ｙの両端部に設けられた前記突起５の頭皮Ｓへの当たりはやや強くなり、短径方向Ｚの両端部に設けられた前記突起５の頭皮Ｓへの当たりはやや弱くなる。この結果、前記突起５全体としては、頭皮Ｓに対する当たりを均等化することができることになるので、従来の構造に比べて洗浄又はマッサージの効果を高めることができる。
【００６３】
また、従来の構造では、前記基板４の中心Ｏを中心として同心円状に撓みが進行するため、前記第一ブラシ部３の長径方向Ｙの両端部では殆ど基板４が撓まず、この部分に設けられた前記突起５は殆ど洗浄又はマッサージに関与しない。しかしながら、本実施例では、前述したように、前記枠体６の外縁６Ｃが同一の仮想球面上を通るように構成されているため、前記基板４の中心Ｏを中心として撓みが進行する点では従来構造と共通するものの、同心円状に撓みが進行せず、前記基板４全体を撓ませることができる。従って、従来、洗浄又はマッサージに殆ど関与しなかった突起５も洗浄又はマッサージに関与させることができるので、洗浄又はマッサージの効果を高めることができる。また、前述したように、前記基板４の湾曲凸状態時に、前記突起５が、短径方向Ｚでは従来の構造よりもやや開いた状態となっていると共に、湾曲凹状態時における前記突起５の傾斜角度が従来構造と殆ど変わらないので、前記突起５の短径方向Ｚへの動きを大きくすることができる。これらの相乗効果により、本実施例の電動式ブラシ装置１は、従来の構造に比べて洗浄又はマッサージの効果を高めることができる。
【００６４】
また、洗浄又はマッサージを行う際に、頭皮Ｓに前記第一ブラシ部３を正対させることにより複数の前記突起５を頭皮Ｓに均等に当接させる必要があるが、使用者はこの状態を正確に視認できないので、前記装置本体２を把持した状態では、前記第一ブラシ部３は頭皮Ｓに対して大まかに対向する状態となる。しかしながら、前記第一ブラシ部３が頭皮Ｓに正対していない（前記中心軸線Ｘが頭皮Ｓに対して傾斜している）状態にあっては、矢印Ｔに示すように、前記第一ブラシ部３が前記装置本体２に対して前記軸８の揺動中心軸線Ｚ´´を中心に揺動することで、前記第一ブラシ部３が自動的に頭皮Ｓに正対した状態で当接できるようになるので、複数の前記突起５によって、頭皮Ｓを均一に洗浄したりマッサージしたりすることができる。
【００６５】
そして、前記第一ブラシ部３が前記軸８を中心に揺動する際に、前記パッキン２０の上部２０Ａは、前記底板９の内周面９Ａに圧接して両者を気密に接続することで、シャンプーが前記パッキン２０の外側に漏れ出すようなことがない。また、前記パッキン２０の上部２０Ａは、前記底板９の内周面９Ａに固定ではなく摺動自在に圧接していることで、前記第一ブラシ部３が前記軸８を揺動中心として揺動駆動する力に対して、前記圧接の箇所では、動摩擦抵抗力或いは静止摩擦抵抗力が生成されることになり、圧接に代えて固定した場合に比較して可及的に抵抗力を低減できる。この結果、前記第一ブラシ部３が前記軸８を揺動中心としてスムーズに揺動することができるようになる。
【００６６】
なお、人間の頭部は、実際には単純な形状ではないので、前記第一ブラシ部３が頭部表面、即ち頭皮Ｓに正対しただけでは、必ずしも突起５によって頭皮Ｓが良好に洗浄されたりマッサージされたりするとは限らない。しかしながら、前述したように、前記枠体６は合成樹脂であっても弾性変形可能に構成されているので、前記第一ブラシ部３を頭皮Ｓに押し付けることで、頭皮Ｓの形状に応じて前記第一ブラシ部３の基板４が撓み、この基板４の撓みに応じて、前記第一ブラシ部３を固定している前記枠体６も撓むことになる。そして、前記枠体６が頭皮Ｓに沿って撓んだ状態で、前記第一ブラシ部３の基板４を湾曲凸状態と湾曲凹状態の間で繰り返し撓ませることで、前記第一ブラシ部３を頭皮Ｓに沿わせて良好に洗浄又はマッサージすることができる。
【００６７】
頭皮Ｓのマッサージを行う場合、使用者は、前記装置本体２のフック１７Ａを、前記第二ブラシ部３Ａの基板７０のフック受け部７０Ｂに接続し、更に、前記第二ブラシ部３Ａの基板７０の縁７０Ａを、前記枠体６の外縁６Ｃに係合させる。このようにして、前記電動式ブラシ装置１が使用可能な状態となる。この際、前記第二ブラシ部３Ａの基板７０は、自然状態において湾曲凸状態となっているが、前記第二ブラシ部３Ａを取り付ける前記枠体６自体が長径方向Ｙ´に対して湾曲凹状態となっていることで、前記枠体６に取り付けられた前記第二ブラシ部３Ａの基板７０は、その突出量が少なくとも長径方向Ｙでは小さくなる。逆に、短径方向Ｚでは、前記第二ブラシ部３Ａの基板７０の突出量は大きくなる。従って、湾曲凸状態において、前記第一突起７１、第二突起７３及び第三突起７４は、長径方向Ｙでやや閉じており、短径方向Ｚでやや開いている。
【００６８】
そして、引き出された前記ベルト部３５と上面部３１との間に指を通して、前記装置本体２を把持した状態で、前記スイッチ１９を操作すると、前記電池１８から電力が給電されることで、前記モータ１３が作動して前記モータ軸１３Ａが回転する。このモータ軸１３Ａの回転に伴い、このモータ軸１３Ａに前記減速歯車機構１４を介して接続された前記クランク１５が回転し、このクランク１５及びこのクランク１５の偏心軸１５Ａと結合した前記ヨーク１６によって、前記モータ軸１３Ａの回転運動が往復運動に変換され、前記ヨーク１６と一体に形成されたロッド１６Ａの下端に取り付けられた前記接続中継部材１７が上下に往復動する。そして、前記基板７０は、前記接続中継部材１７に設けられた前記フック１７Ａに接続された前記フック受け部７０Ｂ、即ち、前記基板７０の中央が最大振幅箇所となるように、下に撓んだ湾曲凸状態と上に撓んだ湾曲凹状態との間で変形を繰り返す。なお、前記基板７０の前記最大振幅個所における振幅は、前記クランク１５の中心軸から偏心軸１５Ａまでの偏心距離Ｆの２倍（２Ｆ）となる。
【００６９】
そして、使用者は、前記装置本体２を把持し、前記第一突起７１の細長突起部７５の先端部８０を前記頭皮Ｓに押し当てて、手で保持する。この際、前記細長突起部７５の先端部８０が前記支持突部７２に比べて細く柔軟に形成されていると共に、前記支持突部７２に装着された状態において、前記基部７９に対して外向きに曲がっているので、前記先端部８０が髪の間を通り抜けて頭皮Ｓに当接し、更に、図１２の一点鎖線のように、外向きの前記先端部８０が屈曲して頭皮Ｓに沿う。これにより、前記第一突起７１を構成する支持突部７２は、前記中心軸線Ｘを中心としてその内側方向に傾斜したり、或いはその後起立したりすることを繰り返す。同様に、前記細長突起部７５の基部７９も、前記支持突部７２と共に、内側方向に傾斜したり、或いはその後起立したりすることを繰り返す。一方、前記細長突起部７５の先端部８０は、頭皮Ｓに沿って屈曲した状態で、内側に移動したり外側に移動したりすることを繰り返す。これによって、頭皮Ｓを動かして刺激を与えることで、頭皮Ｓのマッサージをすることができる。このように、頭髪量が豊かな人や長髪の人が使用しても、前記細長突起部７５の先端部８０が広い範囲で頭皮Ｓに接触し易くなると共に、頭皮Ｓとの間に髪を挟み難くすることができる。従って、この状態で前記往復駆動手段１２を駆動することにより、頭皮Ｓに沿って屈曲する前記先端部８０による良好なマッサージ効果を得ることができる。
【００７０】
なお、前記細長突起部７５は、傷んだり汚れたりした場合、外して洗浄したり交換したりすることができる。具体的には、前記細長突起部７５の先端部８０を摘んで先端側に引っ張ることで、前記連結孔７８が弾性変形し、この連結孔７８から前記係止頭部８１Ａが抜け出す。このようにして、前記支持突部７２から前記細長突起部７５が外れる。このように、前記細長突起部７５が外された状態で、この細長突起部７５や前記支持突部７２を洗浄することができる。また、新しい前記細長突起部７５を、前記支持突部７２に装着することもできる。
【００７１】
前記電動式ブラシ装置１の使用後、使用者は、前記ベルト部３５を前記装置本体２に収容する。この際、使用者は、前記スライド部３５Ｂを前記挿通孔４８から前記収容部４９に押し込む。そして、押し込まれた前記スライド部３５Ｂは、前記案内面５０に沿って、他側（即ち後方）に屈曲した状態で、前記収容部４９に収容される。なお、この際、前記操作ボタン５２を押しながら前記スライド部３５Ｂを前記収容部４９に押し込むことが望ましいが、前記操作ボタン５２を押さなくても、前記スライド部３５Ｂを前記収容部４９に押し込むことは可能である。そして、前記操作ボタン５２を押さずに、前記スライド部３５Ｂを前記収容部４９に押し込むと、前記スライド部３５Ｂの第一係止受部５８の傾斜案内面５８Ｂが、前記係止部材５６の前記係止部５７の傾斜案内面５７Ｂに当接する。この状態から、更に前記スライド部３５Ｂを押し込むと、前記係止部５７の傾斜案内面５７Ｂは、前記第一係止受部５８の傾斜案内面５８Ｂと摺接して後方に移動する。これによって、前記係止部材５６は、前記コイルバネ５４の付勢力に抗して、他側（即ち後方）に移動する。そして、前記係止部材５６が他側に移動することで、前記第一係止受部５８は、前記係止部５７を乗り越えて、この係止部５７の下方に達する。なお、前記係止部材５６は、前記第一係止受部５８が前記係止部５７を乗り越えた後、前記コイルバネ５４の付勢力によって、一側（即ち前方）に移動する。そして、前記係止部材５６が前方に移動すると、前記係止部５７の係止面５７Ａと、前記第一係止受部５８の係止面５８Ａが当接することで、第一係止受部５８は、再び前記係止部５７に係止される。このようにして、前記スライド部３５Ｂは、再び前記収容部４９に収容される。なお、前記第二係止受部５９も、前記第一係止受部５８と同様に、前記係止部５７を乗り越えることができる。
【００７２】
以上のように、上記実施例では、駆動部たる装置本体２と、この装置本体２によって動作する第二ブラシ部３Ａとを有し、この第二ブラシ部３Ａが、可撓性を有する材質から成る基板７０と、この基板７０の表面に突出して設けられた複数の突起とで構成され、前記装置本体２に、前記基板７０の周縁７０Ａを保持する枠体６を設けた電動式ブラシ装置１において、ブラシ部３Ａが、前記基板７０の表面に突出してこの基板７０と一体に設けられた複数の支持突部７２と、この支持突部７２に基端側が支持され、前記支持突部７２より細く軟質な複数の細長突起部７５とを有することで、比較的細く軟質な細長突起部７５の先端８０Ｔが髪を通り抜けて頭皮Ｓに当接すると共に、先端部８０が頭皮Ｓに沿って屈曲して頭皮Ｓに対し広く当接するので、この状態で装置本体２を作動させることで、前記細長突起部７５が頭皮Ｓを捉えて良好にマッサージすることができる。なお、前記細長突起部７５は比較的軟質であるものの、その基端側である基部７９が前記支持突部７２によって支持されることで、前記基板７０に対して倒れすぎることが阻止されるので、頭皮Ｓを良好にマッサージすることができる。
【００７３】
また、前記細長突起部７５を前記支持突部７２に対し着脱可能としたことで、破損し易い前記細長突起部７５のみを交換することができる。
【００７４】
更に、前記細長突起部７５を、その基端側である基部７９に対し先端側である先端部８０を外側に曲げて形成したことで、前記細長突起部７５が頭皮Ｓに押し付けられた際に屈曲し易くできるので、前記細長突起部７５を頭皮Ｓに対しより広い範囲で当接させることができる。
【００７５】
また、実施例上の効果として、前記支持突部７２の装着孔７７に前記細長突起部７５の基部７９を挿入し、圧入部８１の係止頭部８１Ａを連結孔７８に圧入して、この連結孔７８に前記圧入部８１を連結することにより、前記支持突部７２の装着孔７７に、前記細長突起部７５の基部７９を安定して連結することができる。また、前記連結孔７８の外側に、この連結孔７８を部分的に拡大する拡大部７８Ａが設けられていることで、前記連結孔７８に前記係止頭部８１Ａを圧入し易くすることができる。更に、前記基部７９の基端に、前記端板部７２Ｄに当接する基端面７９Ａが設けられていることで、頭皮Ｓに先端部８０を当てた際、前記端板部７２Ｄによって前記基端面７９Ａを安定して支持することができる。
【００７６】
また、実施例上の効果として、駆動部たる装置本体２と、この装置本体２によって動作するブラシ部３とを有し、このブラシ部３が、可撓性を有する材質から成る基板４と、この基板４の表面に突出して設けられた複数の突起５とで構成され、装置本体２に、基板４の周縁を保持する枠体６を設けた電動式ブラシ装置において、装置本体２に可撓性及び防滑性を有するベルト部３５を設けたから、前記装置本体２とベルト部３５との間に手を入れて前記装置本体２を把持することで、この装置本体２を把持する手が前記装置本体２から離れにくくなるので、この装置本体２を把持する手にシャンプーの泡等が付着したとしても、電動式ブラシ装置１を滑らせて落下させる虞を減ずることができる。
【００７７】
また、駆動部たる装置本体２に収容部４９を設け、この収容部４９に前記ベルト部３５の一端側であるスライド部３５Ｂを出没可能に収容し、前記装置本体２に前記ベルト部３５の他端部であるベルト本体３５Ａを固定すると共に、前記ベルト部３５のスライド部３５Ｂを前記収容部４９に収容した状態で保持する保持部５１を前記装置本体２に設けたことで、前記ベルト部３５を前記装置本体２に沿って邪魔にならないようにさせることができる。
【００７８】
更に、前記保持部５１に、前記ベルト部３５の一端側たるスライド部３５Ｂを前記収容部４９から出す方向に移動させる移動部としての傾斜面６０Ａを設けたことで、前記ベルト部３５のスライド部３５Ｂの保持状態を解除する操作によって、前記スライド部３５Ｂが前記収容部４９から出るように移動するので、前記装置本体２とベルト部３５との間に隙間が生ずる。そして、このように隙間が生じることで、使用者が前記ベルト部３５を掴んで引き出し易くすることができる。
【００７９】
また、前記ベルト部３５が更にゴム弾性を有すると共に、前記ベルト部３５の他端寄りに曲げ部４１を設けたことで、引き出された前記ベルト部３５の他端寄りでこのベルト部３５が大きく屈曲し易くできるので、前記装置本体２とベルト部３５との間に手を入れやすい形で隙間を生じさせることができる。
【００８０】
更に、実施例上の効果として、前記ベルト部３５の静摩擦係数を前記ケース本体２Ａのそれよりも大きくして、前記ベルト部３５に高い防滑性を持たせることで、前記凹部３６に収納した状態でも、前記ベルト部３５による滑り止め効果が得られる。また、前記ベルト本体３５Ａの他側寄りに、左右方向に且つ内面側にほぼ半円状に凹んで形成された曲げ部４１を設け、この曲げ部４１に対応して、前記凹部３６に凹状の受け部４２を形成することで、前記凹部３６に前記ベルト本体３５Ａを収納する際に、前記受け部４２に前記曲げ部４１が係入するので、前記ベルト本体３５Ａを安定して前記凹部３６に収納することができる。また、前記ベルト部３５が透光性を有することで、前記凹部３６に形成した前記表示部６１の発光状態を、前記ベルト部３５を通して視認することができる。また、左側面部３２Ｌ及び右側面部３２Ｒに滑り止め部６２を設けたので、把持した際の滑り止め効果が向上する。更に、前記操作ボタン５２のリブ６０に設けた傾斜面６０Ａを移動部とし、前記傾斜面６０Ａに対応して、前記長孔４６の上縁に傾斜面４７を設けたことで、移動部を簡易に構成することができる。
【００８１】
なお、本発明は以上の実施例に限定されるものではなく、発明の要旨の範囲内で種々の変形実施が可能である。例えば、上記実施例では、第二ブラシ部の支持突部は基板と一体に形成されたが、別構成の基板と支持突部とを一体化するようにしてもよい。また、上記実施例では、前記支持突部は、その外側に陥没部を設けたが、要は細長突起部が支持できる構造であればよいので、陥没部のない筒状構造としてもよい。更に、上記実施例では、前記細長突起部は、その基部の軸線と先端部の軸線とが交差するように折れ曲がった構造であるが、前記先端部が外側に曲線状に曲がった形状であってもよい。また、本発明は、頭皮洗浄用の電動式ブラシ装置のみならず、頭皮マッサージ用の電動式ブラシ装置にも適用可能である。
【符号の説明】
【００８２】
１  電動式ブラシ装置
２  装置本体（駆動部）
３Ａ  第二ブラシ部（ブラシ部）
６  枠体
７０  基板
７０Ａ  周縁
７１  第一突起（突起）
７２  支持突部
７３  第二突起（突起）
７４  第三突起（突起）
７５  細長突起部
７９  基部（基端側）
８０  先端部（先端側）
【図１】
2014023584.tif 000003
【図２】
2014023584.tif 000004
【図３】
2014023584.tif 000005
【図４】
2014023584.tif 000006
【図５】
2014023584.tif 000007
【図６】
2014023584.tif 000008
【図７】
2014023584.tif 000009
【図８】
2014023584.tif 000010
【図９】
2014023584.tif 000011
【図１０】
2014023584.tif 000012
【図１１】
2014023584.tif 000013
【図１２】
2014023584.tif 000014
【図１３】
2014023584.tif 000015
【図１４】
2014023584.tif 000016
【図１５】
2014023584.tif 000017
【図１６】
2014023584.tif 000018